(57)【要約】  【目的】  各種鋼材への筆記が可能であり、筆記された文字等は水にて容易に洗い流すことができる鋼材用油性インキを提供する。  【構成】  少なくとも着色剤、有機溶剤、常温固体であるＨＬＢ１６〜２０のポリオキシエチレンアルキルエーテルまたはポリオキシエチレン硬化ヒマシ油、ポリエチレングリコール脂肪酸エステルまたはポリオキシエチレンポリオキシプロピレンアルキルエーテルとから構成される鋼材用油性インキ。【選択図】        なし【特許請求の範囲】
【請求項１】
着色剤、有機溶剤、常温固体でＨＬＢ１６〜２０である非イオン系界面活性剤とを少なくとも含有する鋼材用油性インキ。
【請求項２】
前記非イオン系界面活性剤が、ポリオキシエチレンアルキルエーテル、ポリオキシエチレン硬化ヒマシ油、ポリエチレングリコール脂肪酸エステル、ポリオキシエチレンポリオキシプロピレンアルキルエーテルから選ばれる１種もしくは２種以上である請求項１記載の鋼材用油性インキ。
【発明の詳細な説明】
【技術分野】
【０００１】
鋼材は、各種機械や建築材、車体、船体、機体など広範囲に使用されている。これらの製造・組み立てをする際、部品の損傷部、部品の張り付け確認等のチェックをするためにマーカーが用いられている。本発明はこれらの筆記線を塗装前や仕上げ前に行なう水による洗浄工程にて容易に消去できる鋼材用油性インキに関するものである。
【背景技術】
【０００２】
従来、鋼材に筆記し筆跡が消去可能である鋼材用油性インキが数々知られている。例えば、パラフィン系炭化水素または／およびナフテン系炭化水素からなる溶剤、この溶剤に可溶な樹脂、同じくこの溶剤に可溶な樹脂または顔料で構成され、炭化水素系の洗浄溶剤で金属表面を洗浄したときに、金属表面に記されたマーキングペンの筆跡が同時に消去されて、シンナーなどによる拭き取り作業が不要なマーキングペン用油性インキ（特許文献１参照）が、着色剤、樹脂、キシレンと中級アルコール、ポリオキシエチレンソルビタン脂肪酸エステルから構成され、あらゆる鋼材に筆記できその筆跡は脱脂液に浸すことにより消去できる鋼材用油性インキ（特許文献２参照）等が開示されている。
【特許文献１】特開２０００−０１６４４公報
【特許文献２】特開２００２−３２４００公報
【発明の開示】
【発明が解決しようとする課題】
【０００３】
しかしながら、上記従来の鋼材用油性インキは、筆記した筆跡を有機溶剤や苛性ソーダ、ソーダ灰、第三リン酸ソーダ、メタケイ酸ソーダといったアルカリ水溶液やこれらに陰イオン活性剤や非イオン活性剤を少量加えた脱脂液を使用しなければ綺麗に落とすことができないといった問題点を有している。
【０００４】
本発明は鋼材用油性インキに関するものであり、鋼材に筆記でき、その筆跡は水洗浄にて容易に消去できる鋼材用油性インキを提供することを目的とする。
【課題を解決するための手段】
【０００５】
即ち、本発明は、着色剤、有機溶剤、常温固体でＨＬＢ１６〜２０である非イオン系界面活性剤とを少なくとも含有する鋼材用油性インキを要旨とするものである。
【発明の効果】
【０００６】
ＨＬＢ１０以上の非イオン系界面活性剤は親水性として知られているが、特にＨＬＢ１６〜２０の非イオン系界面活性剤は一般的に水に対する溶解性が極めて強く、その中でも本発明で使用される常温固体の非イオン系界面活性剤は、鋼材表面に筆記後に溶剤が揮発すると、析出して着色剤を定着させる塗膜形成付与作用を有すると共に、洗浄作用により、筆跡を容易に水で洗い流せることができると推察される。しかし、この鋼材用油性インキ中にマレイン化石油樹脂やロジン変性フェノール樹脂等の樹脂成分を加えた場合、樹脂のもつ固着性能より、これら非イオン系界面活性剤のもつ洗浄作用が損なわれるので水で容易に洗い流されない筆跡定着性の強いインキとなってしまう。
【発明を実施するための最良の形態】
【０００７】
以下、本発明を詳細に説明する。
本発明に使用する着色剤は、公知の染料、顔料の何れも使用することができる。
着色剤として使用する染料は使用する有機溶剤に可溶であればよく、Ｃ．Ｉ．Ｓｏｌｖｅｎｔ  Ｙｅｌｌｏｗ  ２、同６、同１４、同１５、同１６、同１９、同２１、同３３、同５６、同６１、同８０、Ｓｏｌｖｅｎｔ  Ｏｒａｎｇｅ  １、同２、同５、同６、同１４、同３７、同４０、同４４、同４５、Ｓｏｌｖｅｎｔ  Ｒｅｄ  １、同３、同８、同２３、同２４、同２５、同２７、同３０、同４９、同８１、同８２、同８３、同８４、同１００、同］１０９、同１２１、Ｃ．Ｉ．Ｄｉｓｐｅｒｓｅ  Ｒｅｄ  ９、Ｃ．Ｉ．Ｓｏｌｖｅｎｔ  Ｖｉｏｌｅｔ  ８、同１３、同１４、同２１、同２７、Ｃ．Ｉ．Ｄｉｓｐｅｒｓｅ  Ｖｉｏｌｅｔ  １、Ｃ．Ｉ．Ｓｏｌｖｅｎｔ  Ｂｌｕｅ  ２、同１１、同１２、同２５、同３５、同３６、同５５、同７３、Ｃ．Ｉ.Ｓｏｌｖｅｎｔ  Ｇｒｅｅｎ  ３、Ｃ．Ｉ.Ｓｏｌｖｅｎｔ  Ｂｒｏｗｎ  ３、同５、同２０、同３７、Ｃ．Ｉ．Ｓｏｌｖｅｎｔ  Ｂｌａｃｋ  ３、同５、同７、同２２、同２３、同１２３等を用いることができる。
着色剤として使用する顔料としては、従来公知のピグメントブラック６、同７等のカーボンブラック、ピグメントブルー２７、同９、ピグメントバイオレット１５、ピグメントレッド２５９等の金属錯塩系顔料、ピグメントホワイト６、ピグメントイエロー４２、ピグメントブラック１１、ピグメントレッド１０１等の金属酸化物系顔料、ピグメントイエロー５３、ピグメントブラウン２４等の複合酸化物系顔料等、ピグメントホワイト２１、同２２、同２７、同２８、同１９、同２４、カオリンクレー、焼成クレー、タルク、ベントナイト、マイカ、白雲母、金雲母、ネフェリンシナイト等の体質顔料、アルミニウムペースト、アルミニウムフレークパウダー、ブロンズ粉等の金属粉系顔料、ピグメントホワイト１、同１４、二酸化チタン、被覆雲母等の真珠光沢顔料等の無機顔料、ピグメントレッド８１、同８１：１、同８１：２、同８１：３、同８１：４、同８２、同８３、同８４、同９０、同９０：１、同１５１、同１６９、同１７２、同１７３、同１７４、同１９１、ピグメントオレンジ３９、ピグメントイエロー１８、同１００、同１０４、同１１５、同１１７、ピグメントブルー１、同１：２、同２、同３、同８、同９、同１０、同１１、同１２、同１４、同５３、同６２、同６３、ピグメントバイオレット１、同２、同２：２、同３、同３：１、同３：３、同４、同５、同５：１、同６：１、同７：１、同９、同１２、同２０、同２６、同２７、同３９、ピグメントグリーン1、同２、同３、同４、同８、同９、同１０、同１２、同４５、ピグメントブラウン３等のレーキ系顔料、ピグメントレッド１、同３、同２１、同１１２、同１１４、同１４６、同１７０、同１８７、同１５０、同１８５、同３８、同４１、ピグメントオレンジ５、同３８、同３６、同１６、同１３、同３４、ピグメントイエロー１、同３、同９７、同１６７、同１５４、同１２、同１３、同１４、同１７、同５５、同８３、同８１、同１０、ピグメントブラウン２５等の不溶性アゾ顔料、ピグメントレッド１４４、同１６６等の縮合アゾ顔料、ピグメントレッド５３、同５３：１、同５３：３、同５０、同５０：１、同４９、同４９：１、同４９：２、同４９：３、同５７：１、同４８：１、同４８：２、同４８：３、同４８：４、同５２：１、同６３：１、同６３：２、同５８：２、同５８：４、同５１、同６０：１、同６４：１、ピグメントオレンジ１７、同１８、同１９、ピグメントイエロー６１、同６２等のアゾレーキ系顔料、ピグメントブルー１５、同１５：１、同１５：２、同１５：３、同１５：４、同１５：５、同１５：６、同１６、同１７：１、ピグメントグリーン７、同３６、同３７等のフタロシアニン系顔料、ピグメントレッド１２２、同２０２、同２０６、同２０７、同２０９、ピグメントオレンジ４８、ピグメントバイオレット１９等のキナクリドン系顔料、ピグメントレッド１６８、同１７７、ピグメントオレンジ５１、ピグメントイエロー２４、同１０８、ピグメントブルー６０等のアントラキノン系顔料、ピグメントレッド１２３、同１４９、同１７８、同１７９、同１９０、同２２４、ピグメントバイオレット２９、ピグメントブラック３１、同３２等のペリレン系顔料、ピグメントレッド１９４、ピグメ��トオレンジ４３等のペリノン系顔料、ピグメントレッド８８、同１８１、ピグメントブラウン２７、ピグメントブルー６６、同６３等のインジゴ系顔料、ピグメントバイオレット２３、同３７等のジオキサジン系顔料、ピグメントイエロー１３８等のキノフタロン系顔料、ピグメントオレンジ６１、ピグメントイエロー１０９、同１１０、同１７３等のイソインドリノン系顔料、ピグメントレッド２６０、ピグメントオレンジ６６、同６９、ピグメントイエロー１３９、同１８５等のイソインドリン系顔料、ピグメントイエロー１５０、ピグメントグリーン８、ピグメントグリーン１０等のアゾ金属錯体顔料、ピグメントレッド２５７、ピグメントオレンジ６８、ピグメントイエロー１２９、同１５３、同６５等のアゾメチン金属錯体顔料、ピグメントレッド２５４、同２５５、同２６４、同２７０、同２７２、ピグメントオレンジ７１、同７３等のジケトピロロピロール系顔料、ピグメントブルー１８、同１９、同５６、同５７、同６１、同５６：１、同６１：１等のアルカリブルー顔料、ピグメントブラック１等のアニリンブラック、ベーシックイエロー４０、ベーシックレッド１、ベーシックバイオレット１０、アシドイエロー７、アシドレッド９２、アシドブルー９、ディスパーズイエロー１２１、ディスパーズブルー７、ダイレクトイエロー８５、フルオロセントブライティングホワイテックスＷＳ５２、ソルベントイエロー４４、ソルベントブルー５等の蛍光染料を合成樹脂中で固溶体とした蛍光顔料等の有機顔料等の中から、鋼材用油性インキ中に微粒子として安定に分散し得るものを１種または２種以上を適宣選択して用いることができる。その使用量は、顔料の種類や他のインキ成分によりことなるものの、鋼材用油性インキ全量に対して１〜４０重量％、好ましくは２〜３０重量％である。
【０００８】
本発明に使用される有機溶剤としては、エチルアルコール、ｎ-プロピルアルコール、イソプロピルアルコール、ｎ-ブチルアルコール、イソブチルアルコール、第三ブチルアルコール等の低級アルコール、キシレン、トルエン等の芳香族炭化水素や、メチルエチルケトン、メチルイソブチルケトン等の低級脂肪族ケトンや、酢酸エチル、酢酸ブチル等の低級脂肪酸の低級アルコールエステルや、ヘキサン、ヘプタン等の脂肪族炭化水素や、シクロヘキサン、エチルシクロヘキサン等の脂環族炭化水素やグリコールのアルキルアルコール等が挙げられる。これらは単独もしくは複数混合して使用可能であり、これらの使用量は鋼材用油性インキ全量に対して５０〜９０重量％であり、好ましくは７０〜８５重量％である。
【０００９】
本発明で使用される常温固体のＨＬＢ１６〜２０のポリオキシエチレンアルキルエーテルとしては、ニッコールＢＬ−２１（ポリオキシエチレン（２１）ラウリルエーテル、ＨＬＢ１９．０）、同ＢＬ−２５（ポリオキシエチレン（２５）ラウリルエーテル、ＨＬＢ１９．５）、同ＢＣ−２３（ポリオキシエチレン（２３）セチルエーテル、ＨＬＢ１８．０）、同ＢＣ−２５ＴＸ（ポリオキシエチレン（２５）セチルエーテル、ＨＬＢ１８．５）、同ＢＣ−３０ＴＸ（ポリオキエチレン（３０）セチルエーテル、ＨＬＢ１９．５）、同ＢＣ−４０ＴＸ（ポリオキシエチレン（４０）セチルエーテル、ＨＬＢ２０．０）、同ＢＳ−２０（ポリオキシエチレン（２０）ステアリルエーテル、ＨＬＢ１８．０）、同ＢＯ−２０Ｖ（ポリオキシエチレン（２０）オレイルエーテル、ＨＬＢ１７．０）、同ＢＯ−５０Ｖ（ポリオキシエチレン（５０）オレイルエーテル、ＨＬＢ１８．０）、同ＢＢ−２０（ポリオキシエチレン（２０）ベヘニルエーテル、ＨＬＢ１６．５）、同ＢＢ−３０（ポリオキシエチレン（３０）ベヘニルエーテル、ＨＬＢ１８．０）（以上、日光ケミカルズ（株）製）等のポリオキシエチレンアルキルエーテル、ＨＣＯ−１００（ポリオキシエチレン（１００）硬化ヒマシ油、ＨＬＢ１６．５、日光ケミカルズ（株）製）等のポリオキシエチレン硬化ヒマシ油、ＭＹＳ−４０（モノステアリン酸ポリエチレングリコール（４０ＥＯ）、ＨＬＢ１７．５）、ＭＹＳ−４５（モノステアリン酸ポリエチレングリコール（４５ＥＯ）、ＨＬＢ１８．０）、ＭＹＳ−５５（モノステアリン酸ポリエチレングリコール（５５ＥＯ）、ＨＬＢ１８．０）（以上、日光ケミカルズ（株）製）ポリエチレングリコール脂肪酸エステル、ＰＢＣ−３４（ポリオキシエチレン（２０）ポリオキシプロピレン（４）セチルエーテル、ＨＬＢ１６．５、日光ケミカルズ（株）製）等のポリオキシエチレンポリオキシプロピレンアルキルエーテルなどが挙げられる。例えば、本発明において、常温液体である非イオン系界面活性剤では、溶剤が揮発しても筆跡が乾かずにべとついたままの筆跡となってしまう。また、ＨＬＢ１６以下の固体の非イオン系界面活性剤では形成された塗膜は、ＨＬＢ１６〜２０の非イオン系界面活性剤と比較すると洗い流してもその筆跡は落ちなかったり、完全に洗い流すことはできない。これら常温固体のＨＬＢ１６〜２０の非イオン系界面活性剤は、単独もしくは複数混合して使用可能であり、これらの使用量は鋼材用油性インキ全量に対し1〜３０重量％であり、好ましくは２〜２５重量％である。
【００１０】
以上に示した成分以外に必要に応じて、ペン先乾燥防止剤として炭素数４以上のアルコール系溶剤、ポリグリセリン脂肪酸エステル等、粘度調整剤としてヒドロキシエチルセルロース、ヒドロキシプロピルセルロース、メチルセルロース、エチルセルロース等のセルロース類等、種々の添加剤を適宣選択して使用することができる。
【００１１】
本発明の鋼材用油性インキの製造方法は、上記各成分をホモミキサー、ラボミキサー、ヘンシルミキサー等の撹拌機を使用することにより容易に得ることができる。
【００１２】
以下、実施例に基づき本発明を説明するが、本発明は実施例のみに限定されるものではない。
【実施例】
【００１３】
（実施例１）
キシレン                                                        ６５．０重量％
エチルセロソルブ                                                １０．０重量％
オレイン酸                                                        １．０重量％
ニッコールＢＣ−２３（ポリオキシエチレン（２３）セチルエーテル、ＨＬＢ１８．５
、日光ケミカルズ（株）製）                                        ２０．０重量％
オイルブルー＃６１３（Ｃ．Ｉ.Ｓｏｌｖｅｎｔ  Ｂｌｕｅ  ５、オリエント化学工業（株
）製）                                                              ４．０重量％
上記各成分をラボミキサーにて１時間攪拌して、青色インキを得た。
【００１４】
（実施例２）
キシレン                                                        ６５．０重量％
イソブタノール                                                    ６．０重量％
ＰＢＣ−３４（ポリオキシエチレン（２０）ポリオキシプロピレン（４）セチルエーテ
ル、ＨＬＢ１６．５、日光ケミカルズ（株）製）                      ２０．０重量％
オイルピンク＃３１２（Ｃ．Ｉ．Ｓｏｌｂｅｎｔ  Ｒｅｄ  ４９、オリエント化学工業
（株）製）                                                          ３．０重量％
上記各成分をラボミキサーにて１時間攪拌して、赤色インキを得た。
【００１５】
（実施例３）
キシレン                                                        ５０．０重量％
イソブタノール                                                  １５．０重量％
エチルセロソルブ                                                １５．０重量％
ＨＣＯ−１００（ポリオキシエチレン（１００）硬化ヒマシ油、ＨＬＢ１６．５、日光
ケミカルズ（株）製）                                              １０．０重量％
オイルイエロー１２９（Ｃ．Ｉ．Ｓｏｌｖｅｎｔ  Ｙｅｌｌｏｗ  ２９、オリエント化
学工業（株）製）                                                    ４．０重量％
バリファーストブルー２６１０（Ｃ．Ｉ．Ｓｏｌｖｅｎｔ  Ｂｌｕｅ  ７０、オリエン
ト化学工業（株）製）                                                ６．０重量％
上記各成分をホモミキサーにて１時間攪拌して、緑色インキを得た。
【００１６】
（比較例１）
実施例1において、ニッコールＢＣ−２３を除き、ニッコールＢＣ−１５ＴＸ（ポリオキシエチレン（１５）セチルエーテル、ＨＬＢ１５．５、日光ケミカルズ（株）製）を２０．０重量％を加えた以外は実施例１と同様にして青色インキを得た。
【００１７】
（比較例２）
実施例２において、ＰＢＣ−３４を除き、ＰＢＣ−３１（ポリオキシエチレン（１）ポリオキシプロピレン（４）セチルエーテル、ＨＬＢ１０．５、常温液体、日光ケミカルズ（株）製）を２０重量％加えた以外は、実施例２と同様にして赤色インキを得た。
【００１８】
（比較例３）
実施例３において、キシレンを４４．０重量％、イソブタノールを１３重量％にして、ネオーポリマー１２０（マレイン化石油樹脂、日本石油（株）製を６．５重量％、タマノール３５４（ロジン変性フェノール樹脂、荒川化学工業（株）製）を１．５重量％を加えた以外は、実施例３と同様にして緑色インキを得た。
【００１９】
以上の実施例１〜３及び比較例１〜３により得られた鋼材用油性インキをぺんてる（株）製油性マーカーＮ５０に充填し、各種鋼材に筆記して消去性の確認試験を行った。
尚、普通鋼板とは、ＪＩＳ  Ｇ  ３１０１の一般構造用圧延鋼材に規定される鋼板の中のＳＳ４００である。
【００２０】
消去性確認方法
各種鋼材に文字を筆記し、１時間および１ヶ月放置後、流水にて１分間洗い流し、目視により落ち具合を確認した。結果を表１に示す。
○・・・すべて消去した。△・・・やや筆跡が残った。×・・・消去不可。
【００２１】
筆跡乾燥性確認方法
普通鋼板に文字を筆記し、１分後にその筆跡上に上質紙を重ね、さらに５００ｇ荷重の重りを重ね、紙への筆跡の転写を確認した。結果を表２に示す。
○・・・転写はない（筆跡は乾燥している）。×・・・転写有り（筆跡は乾燥していない）。
【００２２】
【表１】
2006016475.tif 000002
【００２３】
【表２】
2006016475.tif 000003